(57)【要約】  【課題】  複数のヘッドホンが混在している場合であっても、任意の組み合わせのヘッドホンを左右一対として使用することができる音声信号送受信システムなどを提供する。  【解決手段】  ヘッドホン５は、左耳用ボタン５４ａ又は右耳用ボタン５４ｂのいずれかが押下されることにより、左耳用又は右耳用のいずれであるかを識別する左右識別情報とを生成する。ヘッドホン５は、記憶部（５５）に記憶されているＩＤ情報と生成された左右識別情報とを音声信号送信装置として機能する音声サーバ装置３へ送信する。音声サーバ装置３は、ＩＤ情報と左右識別情報とを受信し、ヘッドホン５のＩＤ情報及び左右識別情報が関連付けられたペアリングテーブル（４０）を更新して記憶部（３５）に記憶する。そして、音声サーバ装置３は、ペアリングテーブル４０のＩＤ情報を有するヘッドホン５へ、左右識別情報に応じて符号化された左耳用又は右耳用の音声信号をパケット送信する。【選択図】        図１
2005286919.tif 000002
【特許請求の範囲】
【請求項１】
音声信号を無線送信する音声信号送信装置と、該音声信号送信装置から無線送信された音声信号を受信する手段、及び受信した音声信号を音波に変換する手段が設けられた複数のヘッドホンとを備える音声信号送受信システムにおいて、
前記ヘッドホンは、
各ヘッドホンを識別する第１識別情報、及び該ヘッドホンが左耳用又は右耳用のいずれであるかを識別する第２識別情報を前記音声信号送信装置へ送信する手段
を備え、
前記音声信号送信装置は、
前記第１識別情報及び前記第２識別情報を受信する受信手段と、
受信した第１識別情報及び第２識別情報に基づいて、各ヘッドホンを左右一対のペアとして設定する設定手段と
を備えることを特徴とする音声信号送受信システム。
【請求項２】
前記音声信号送信装置は、
最初に第１識別情報及び第２識別情報を送信したヘッドホンが該第２識別情報によって左耳用又は右耳用のいずれであるかを識別された場合に、次に第１識別情報及び第２識別情報を送信したヘッドホンを、最初に第１識別情報及び第２識別情報を送信したヘッドホンとは異なる耳用であると判定する手段
をさらに備えることを特徴とする請求項１に記載の音声信号送受信システム。
【請求項３】
前記音声信号送信装置は、
異なるペアの左右一対のヘッドホン毎に、異なる音声信号を送信すべくなしてあること
を特徴とする請求項１又は請求項２に記載の音声信号送受信システム。
【請求項４】
前記ヘッドホンは、
左耳又は右耳に任意に装着でき、
前記第１識別情報が記憶された記憶部と、
左耳又は右耳のいずれに装着されているかを判別する判別手段と、
前記判別手段による判別に基づいて、前記第２識別情報を生成する手段と
を備えることを特徴とする請求項１乃至請求項３のいずれかに記載の音声信号送受信システム。
【請求項５】
前記判別手段は、左耳に装着されていることを判別する第１判別部と、右耳に装着されていることを判別する第２判別部とを備え、
前記ヘッドホンは、
第１判別部又は第２判別部のいずれかが有意である場合、前記第１識別情報及び前記第２識別情報を送信することを示す通知信号を、前記音声信号送信装置へ送信すべくなしてあり、
前記音声信号送信装置は、
前記受信手段にて前記通知信号を受信した場合、前記第１識別情報及び前記第２識別情報の送信を許可する許可信号を前記ヘッドホンへ送信すべくなしてあること
を特徴とする請求項４に記載の音声信号送受信システム。
【請求項６】
前記ヘッドホンは、
前記第１識別情報及び前記第２識別情報が記憶された記憶部
を備えることを特徴とする請求項１乃至請求項３のいずれかに記載の音声信号送受信システム。
【請求項７】
前記音声信号送信装置は、前記設定手段による設定に基づいて、前記左耳用の音声信号又は前記右耳用の音声信号を前記ヘッドホンへ送信すべくなしてあること
を特徴とする請求項１乃至請求項６のいずれかに記載の音声信号送受信システム。
【請求項８】
前記音声信号は、左耳用の音声信号と右耳用の音声信号とを含んでおり、
前記ヘッドホンは、第２識別情報に基づいて、送信された音声信号から左耳用の音声信号又は右耳用の音声信号を抽出する手段をさらに備えること
を特徴とする請求項１乃至請求項６のいずれかに記載の音声信号送受信システム。
【請求項９】
左耳又は右耳に任意に装着でき、外部から無線送信された音声信号を音波に変換するヘッドホンにおいて、
該ヘッドホンを識別する第１識別情報が記憶された記憶部と、
左耳又は右耳のいずれに装着されているかを判別する判別手段と、
前記判別手段による判別に基づいて、前記第２識別情報を生成する手段と、
前記第１識別情報及び前記第２識別情報を外部へ送信する手段と
を備えることを特徴とするヘッドホン。
【請求項１０】
外部から無線送信された音声信号を音波に変換するヘッドホンにおいて、
該ヘッドホンを識別する第１識別情報、及び該ヘッドホンが左耳用又は右耳用のいずれであるかを識別する第２識別情報が記憶された記憶部と、
前記第１識別情報及び前記第２識別情報を外部へ送信する手段と
を備えることを特徴とするヘッドホン。
【請求項１１】
前記音声信号は、左耳用の音声信号と右耳用の音声信号とを含んでおり、
前記第２識別情報に基づいて、送信された音声信号から左耳用の音声信号又は右耳用の音声信号を抽出する手段をさらに備えること
を特徴とする請求項９又は請求項１０に記載のヘッドホン。
【請求項１２】
音声信号を外部へ無線送信する音声信号送信装置において、
外部から、前記音声信号を送信する送信先の第１識別情報と、該送信先に送信する音声信号が左耳用の音声信号又は右耳用の音声信号のいずれであるかを識別する第２識別情報とを受信する手段を備え、
第２識別情報に基づいて、前記左耳用の音声信号又は前記右耳用の音声信号を送信先へ送信すべくなしてあること
を特徴とする音声信号送信装置。
【請求項１３】
前記音声信号を送信する送信先は複数あり、
送信先毎に、異なる音声信号を送信すべくなしてあること
を特徴とする請求項１２に記載の音声信号送信装置。
【発明の詳細な説明】
【技術分野】
【０００１】
本発明は、音声信号送受信システム、ヘッドホン及び音声信号送信装置に関し、より具体的には、左耳用及び右耳用のヘッドホンが独立し、任意の組み合わせを左右一対として使用することができる音声信号送受信システム、並びに音声信号送受信システムの構成要素としてのヘッドホン及び音声信号送信装置に関する。
【背景技術】
【０００２】
近年、音声再生装置本体からワイヤレス型のヘッドホンへ、赤外線又は電波などを利用した無線通信（例えば、２．４ＧＨｚ周波数帯域の電波を利用するブルートゥース（登録商標））によって音声信号を送信することにより、コード線に煩うことなく、また、音声再生装置本体から１０ｍ〜１００ｍ離隔している場所にて、音声再生装置本体が再生した音声（音楽）を聞くことができる音声信号送受信システムが実用化されている（例えば、特許文献１参照。）。
【０００３】
ブルートゥースのような無線通信によれば、音声信号は、ＩＤ情報（ＢＤアドレス）によって音声再生装置本体との通信が確立されたヘッドホンにのみ送信されるために、音声信号の秘匿性が極めて高い。また、複数のヘッドホンを用意し、ヘッドホン毎に異なる送信チャネルを割り当てることにより、ヘッドホン毎に異なる音声信号が送信される。従って、自動車などの車両に音声再生装置本体を設置した場合、車両の複数の同乗者は、他人に迷惑をかえることなく、換言すれば、他人から干渉されることなく、夫々が所望する音楽を楽しむことができる。
【０００４】
ワイヤレス型のヘッドホンは、左右一対のスピーカがフレーム又はケーブルで接続されており、左右夫々のスピーカを独立して利用されることはなかった。しかし、ヘッドホンの収納スペースが、ワイヤ接続型のヘッドホンと比較して、それほど向上するわけではなく、左右が完全に独立したヘッドホンが要望されていた。
【特許文献１】特開２００３−２８０６９３号公報
【発明の開示】
【発明が解決しようとする課題】
【０００５】
ところで、無線通信を行なうには、音声再生装置本体にヘッドホンを識別するＩＤ情報が予め登録されてなければならないため、左耳用と右耳用とを完全に独立させた場合には、同一の音声信号が夫々のヘッドホンへ送信されるように、同一のＩＤ情報を夫々のヘッドホンに付与する必要がある。
【０００６】
しかしながら、左右のヘッドホンに同一のＩＤ情報を付与した場合、音声信号は、必ず左右一対のヘッドホンの夫々へ送信される。よって、複数セットのヘッドホンが混在している場合、どの組み合わせで左右一対になるのかを判別することが極めて困難であった。つまり、ユーザが無作為に２つのヘッドホンを選択した場合、異なるセットのヘッドホンである虞があるため、一方のヘッドホンからは音声が出力されるが、他方のヘッドホンからは音声が出力されなかったり、又は異なるコンテンツの音声が出力される虞があった。
【０００７】
本発明は斯かる事情に鑑みてなされたものであり、音声信号送信装置が、各ヘッドホンを識別するとともに、各ヘッドホンが左耳用又は右耳用のいずれであるかを識別して、各ヘッドホンを左右一対のペアとして設定する構成とすることにより、複数のヘッドホンが混在している場合であっても、組み合わせを気にすることなく、任意の組み合わせのヘッドホンを左右一対として使用することができる音声信号送受信システム、並びに音声信号送受信システムの構成要素としてのヘッドホン及び音声信号送信装置の提供を目的とする。
【０００８】
また本発明は、ヘッドホンが左耳又は右耳のいずれに装着されているかを判別手段により判別する構成とすることにより、ヘッドホンが左耳用と右耳用とに共用でき、ユーザが無作為にヘッドホンを選択した場合であって、左耳用又は右耳用のいずれにも利用することができる音声信号送受信システム、及び音声信号送受信システムの構成要素としてのヘッドホンの提供を目的とする。
【０００９】
さらに本発明は、ヘッドホンが、左耳用又は右耳用のいずれかであることを特定する構成とすることにより、音声信号送信装置は、例えばヘッドホンが左耳用である場合には、確実に左耳用であると認識し、右耳用であると認識する虞のない音声信号送受信システム、及び音声信号送受信システムの構成要素としてのヘッドホンの提供を目的とする。
【００１０】
さらに本発明は、音声信号送信装置が、左耳用のヘッドホンに左耳用の音声信号を送信し、右耳用のヘッドホンに右耳用の音声信号を送信する構成とすることにより、送信する音声信号の情報量を削減することができる音声信号送受信システム、及び音声信号送受信システムの構成要素としての音声信号送信装置の提供を目的とする。
【００１１】
さらに本発明は、音声信号送信装置が、左耳用の音声信号及び右耳用の音声信号を各ヘッドホンへ送信し、左耳用のヘッドホンは、送信された音声信号のうちの左耳用の音声信号を抽出し、右耳用のヘッドホンは、送信された音声信号のうちの右耳用の音声信号を抽出する構成とすることにより、音声信号送信装置における各ヘッドホンのペアリングが間違っていた場合であっても、左耳用のヘッドホンからは左耳用の音声を出力し、右耳用のヘッドホンからは右耳用の音声を出力することができる音声信号送受信システム、及び音声信号送受信システムの構成要素としてのヘッドホンの提供を目的とする。
【課題を解決するための手段】
【００１２】
第１発明に係る音声信号送受信システムは、音声信号を無線送信する音声信号送信装置と、該音声信号送信装置から無線送信された音声信号を受信する手段、及び受信した音声信号を音波に変換する手段が設けられた複数のヘッドホンとを備える音声信号送受信システムにおいて、前記ヘッドホンは、各ヘッドホンを識別する第１識別情報、及び該ヘッドホンが左耳用又は右耳用のいずれであるかを識別する第２識別情報を前記音声信号送信装置へ送信する手段を備え、前記音声信号送信装置は、前記第１識別情報及び前記第２識別情報を受信する受信手段と、受信した第１識別情報及び第２識別情報に基づいて、各ヘッドホンを左右一対のペアとして設定する設定手段とを備えることを特徴とする。
【００１３】
第２発明に係る音声信号送受信システムは、第１発明において、前記音声信号送信装置は、最初に第１識別情報及び第２識別情報を送信したヘッドホンが該第２識別情報によって左耳用又は右耳用のいずれであるかを識別された場合に、次に第１識別情報及び第２識別情報を送信したヘッドホンを、最初に第１識別情報及び第２識別情報を送信したヘッドホンとは異なる耳用であると判定する手段をさらに備えることを特徴とする。
【００１４】
第３発明に係る音声信号送受信システムは、第１発明又は第２発明において、前記音声信号送信装置は、異なるペアの左右一対のヘッドホン毎に、異なる音声信号を送信すべくなしてあることを特徴とする。
【００１５】
第４発明に係る音声信号送受信システムは、第１発明乃至第３発明のいずれかにおいて、前記ヘッドホンは、左耳又は右耳に任意に装着でき、前記第１識別情報が記憶された記憶部と、左耳又は右耳のいずれに装着されているかを判別する判別手段と、前記判別手段による判別に基づいて、前記第２識別情報を生成する手段とを備えることを特徴とする。
【００１６】
第５発明に係る音声信号送受信システムは、第４発明において、前記判別手段は、左耳に装着されていることを判別する第１判別部と、右耳に装着されていることを判別する第２判別部とを備え、前記ヘッドホンは、第１判別部又は第２判別部のいずれかが有意である場合、前記第１識別情報及び前記第２識別情報を送信することを示す通知信号を、前記音声信号送信装置へ送信すべくなしてあり、前記音声信号送信装置は、前記受信手段にて前記通知信号を受信した場合、前記第１識別情報及び前記第２識別情報の送信を許可する許可信号を前記ヘッドホンへ送信すべくなしてあることを特徴とする。
【００１７】
第６発明に係る音声信号送受信システムは、第１発明乃至第３発明のいずれかにおいて、前記ヘッドホンは、前記第１識別情報及び前記第２識別情報が記憶された記憶部を備えることを特徴とする。
【００１８】
第７発明に係る音声信号送受信システムは、第１発明乃至第６発明のいずれかにおいて、前記音声信号送信装置は、前記設定手段による設定に基づいて、前記左耳用の音声信号又は前記右耳用の音声信号を前記ヘッドホンへ送信すべくなしてあることを特徴とする。
【００１９】
第８発明に係る音声信号送受信システムは、第１発明乃至第６発明のいずれかにおいて、前記音声信号は、左耳用の音声信号と右耳用の音声信号とを含んでおり、前記ヘッドホンは、第２識別情報に基づいて、送信された音声信号から左耳用の音声信号又は右耳用の音声信号を抽出する手段をさらに備えることを特徴とする。
【００２０】
第９発明に係るヘッドホンは、左耳又は右耳に任意に装着でき、外部から無線送信された音声信号を音波に変換するヘッドホンにおいて、該ヘッドホンを識別する第１識別情報が記憶された記憶部と、左耳又は右耳のいずれに装着されているかを判別する判別手段と、前記判別手段による判別に基づいて、前記第２識別情報を生成する手段と、前記第１識別情報及び前記第２識別情報を外部へ送信する手段とを備えることを特徴とする。
【００２１】
第１０発明に係るヘッドホンは、外部から無線送信された音声信号を音波に変換するヘッドホンにおいて、該ヘッドホンを識別する第１識別情報、及び該ヘッドホンが左耳用又は右耳用のいずれであるかを識別する第２識別情報が記憶された記憶部と、前記第１識別情報及び前記第２識別情報を外部へ送信する手段とを備えることを特徴とする。
【００２２】
第１１発明に係るヘッドホンは、第９発明又は第１０発明において、前記音声信号は、左耳用の音声信号と右耳用の音声信号とを含んでおり、前記第２識別情報に基づいて、送信された音声信号から左耳用の音声信号又は右耳用の音声信号を抽出する手段をさらに備えることを特徴とする。
【００２３】
第１２発明に係る音声信号送信装置は、音声信号を外部へ無線送信する音声信号送信装置において、外部から、前記音声信号を送信する送信先の第１識別情報と、該送信先に送信する音声信号が左耳用の音声信号又は右耳用の音声信号のいずれであるかを識別する第２識別情報とを受信する手段を備え、第２識別情報に基づいて、前記左耳用の音声信号又は前記右耳用の音声信号を送信先へ送信すべくなしてあることを特徴とする。
【００２４】
第１３発明に係る音声信号送信装置は、第１２発明において、前記音声信号を送信する送信先は複数あり、送信先毎に、異なる音声信号を送信すべくなしてあることを特徴とする。
【００２５】
第１発明にあっては、各ヘッドホンが該ヘッドホンを識別する第１識別情報と該ヘッドホンが左耳用又は右耳用のいずれであるかを識別する第２識別情報とを音声信号送信装置へ送信することにより、音声信号送信装置は、各ヘッドホンを識別するとともに、左各ヘッドホンが耳用又は右耳用のいずれであるかを識別して、各ヘッドホンを左右一対のペアとして設定することができる。これにより、複数のヘッドホンが混在している場合であっても、組み合わせを気にすることなく、任意の組み合わせのヘッドホンを左右一対として使用することができる。
【００２６】
第２発明にあっては、音声信号送信装置は、最初に第１識別情報及び第２識別情報を送信したヘッドホンを、該第２識別情報によって左耳用又は右耳用のいずれであるかを識別し、次に第１識別情報及び第２識別情報を送信したヘッドホンを、該第２識別情報による識別を行なうことなく、最初に第１識別情報及び第２識別情報を送信したヘッドホンとは異なる耳用であると判定する。これにより、たとえ、２つのヘッドホンが同一の第２識別情報を音声信号送信装置へ送信した場合であっても、２つのヘッドホンを左右一対のペアとして設定することができる。
【００２７】
第３発明及び第１３発明にあっては、異なるペアの左右一対のヘッドホン毎に、異なる音声信号を送信することにより、一対のヘッドホン毎に異なるコンテンツの音楽を配信することができる。
【００２８】
第４発明及び第９発明にあっては、ヘッドホンを識別する第１識別情報は記憶部に記憶されており、左耳又は右耳のいずれに装着されているかを判別手段により判別することによって、左耳用又は右耳用のいずれであるかを識別する第２識別情報を生成する。判別手段による判別に基づいて、ヘッドホンが左耳用と右耳用とに共用できるため、ユーザが無作為にヘッドホンを選択した場合であって、左耳用又は右耳用のいずれにも利用することができ、汎用性が向上する。
【００２９】
第５発明にあっては、ヘッドホンは、左耳に装着されていることを判別する第１判別部、又は右耳に装着されていることを判別する第２判別部のいずれかが有意である場合、第１識別情報及び第２識別情報を送信する前に、送信することを示す通知信号を音声信号送信装置へ送信する。そして、音声信号送信装置は、その通知信号を受信した場合に、第１識別情報及び第２識別情報の送信を許可する許可信号をヘッドホンへ送信する。これにより、ヘッドホンと音声信号送信装置とは、通知信号及び許可信号を送受信することによって通信を行なっても問題ないか否かを判断することができる。
【００３０】
第６発明及び第１０発明にあっては、ヘッドホンを識別する第１識別情報と、該ヘッドホンが左耳用又は右耳用のいずれであるかを識別する第２識別情報とが記憶部に記憶されており、ヘッドホンが、左耳用又は右耳用のいずれかであることを特定されているため、音声信号送信装置は、例えばヘッドホンが左耳用である場合には、確実に左耳用であると認識し、右耳用であると認識することはない。
【００３１】
第７発明及び第１２発明にあっては、音声信号送信装置は、ヘッドホンが左耳用であるか、又は右耳用であるかに応じて、左耳用の音声信号又は右耳用の音声信号を夫々のヘッドホンへ送信する。例えばヘッドホンが左耳用である場合、音声信号送信装置は、必要な左耳用の音声信号を送信することにより、送信する音声信号の情報量を削減できる。換言すれば、情報量の大きい、すなわち、より高品質な音声信号を送信することが可能になる。
【００３２】
第８発明及び第１１発明にあっては、ヘッドホンが左耳用である場合、送信された音声信号のうちの左耳用の音声信号を抽出し、ヘッドホンが右耳用である場合、送信された音声信号のうちの右耳用の音声信号を抽出する。これにより、音声信号送信装置における各ヘッドホンのペアリングが間違っていた場合であっても、左耳用のヘッドホンからは左耳用の音声が出力され、右耳用のヘッドホンからは右耳用の音声が出力される。
【発明の効果】
【００３３】
第１発明によれば、音声信号送信装置は、各ヘッドホンを識別するとともに、各ヘッドホンが左耳用又は右耳用のいずれであるかを識別して、各ヘッドホンを左右一対のペアとして設定することができるため、複数のヘッドホンが混在している場合であっても、組み合わせを気にすることなく、任意の組み合わせのヘッドホンを左右一対として使用することができる。
【００３４】
第２発明によれば、音声信号送信装置は、最初のヘッドホンを、第２識別情報によって左耳用又は右耳用のいずれであるかを識別し、次のヘッドホンを、最初のヘッドホンとは異なる耳用であると判定することにより、たとえ、２つのヘッドホンが同一の第２識別情報を音声信号送信装置へ送信した場合であっても、２つのヘッドホンを左右一対のペアとして設定することができる。
【００３５】
第３発明及び第１３発明によれば、異なるペアの左右一対のヘッドホン毎に、異なる音声信号を送信することにより、一対のヘッドホン毎に異なるコンテンツの音楽を配信することができるため、車両のような閉空間の内部に複数の人間がいる場合であっても、他人に迷惑をかえることなく、換言すれば、他人から干渉されることなく、各人が所望するコンテンツの音楽を楽しむことができる。
【００３６】
第４発明及び第９発明によれば、判別手段による判別に基づいて、ヘッドホンが左耳用と右耳用とに共用できるため、ユーザが無作為にヘッドホンを選択した場合であって、左耳用又は右耳用のいずれにも利用することができ、汎用性が向上する。
【００３７】
第５発明によれば、ヘッドホン及び音声信号送信装置は、通知信号及び許可信号を送受信することによって通信を行なっても問題ないか否かを判断することができるため、無線の届かない位置に夫々が配置されている状況である場合には、無用の通信を行なうことはない。
【００３８】
第６発明及び第１０発明によれば、ヘッドホンが、左耳用又は右耳用のいずれかであることを特定されているため、音声信号送信装置は、例えばヘッドホンが左耳用である場合には、確実に左耳用であると認識し、右耳用であると認識することはない。
【００３９】
第７発明及び第１２発明によれば、ヘッドホンが左耳用である場合、右耳用の音声信号は不要であるため、音声信号送信装置は、必要な左耳用の音声信号を送信することにより、送信する音声信号の情報量を削減できる。換言すれば、情報量の大きい、すなわち、より高品質な音声信号をヘッドホンへ送信することが可能になる。
【００４０】
第８発明及び第１１発明によれば、ヘッドホンが左耳用である場合、送信された音声信号のうちの左耳用の音声信号を抽出し、ヘッドホンが右耳用である場合、送信された音声信号のうちの右耳用の音声信号を抽出するため、音声信号送信装置における各ヘッドホンのペアリングが間違っていた場合であっても、左耳用のヘッドホンからは左耳用の音声が出力され、右耳用のヘッドホンからは右耳用の音声が出力される等、優れた効果を奏する。
【発明を実施するための最良の形態】
【００４１】
以下、本発明をその実施の形態を示す図面に基づいて詳述する。
【００４２】
（実施の形態１）
図１は本発明の実施の形態１に係る音声信号送受信システムの概観を示す模式図である。本発明の実施の形態１に係る音声信号送受信システム１は音声信号送信装置として機能する音声サーバ装置３と、音声信号受信装置として機能する複数のヘッドホン５，５とを備え、音声サーバ装置３とヘッドホン５，５とが無線（例えばブルートゥース）によるワイヤレスのデータ通信を行なう。
【００４３】
ヘッドホン５は、スピーカ５８の背面側の右下部，右下部に、左耳用ボタン５４ａ，右耳用ボタン５４ｂを夫々備えている。ヘッドホン５は、左耳又は右耳のいずれにも装着できる形状を有し、ユーザ２が２つのヘッドホン５，５を無作為に選択して耳元に配置した場合、左耳に配したヘッドホン５の左耳用ボタン５４ａの位置がユーザ２の左手親指の位置に対応するため、左手親指によって押下されることによって左耳用として機能し、右耳に配したヘッドホン５の右耳用ボタン５４ｂの位置がユーザ２の右手親指の位置に対応するため、右手親指によって押下されることによって、右耳用として機能する。
【００４４】
図２は本発明の実施の形態１に係る音声信号送受信システムの構成を示すブロック図である。ヘッドホン５は、制御部５１、ＲＯＭ５２、ＲＡＭ５３、操作部５４、記憶部５５、通信部５６、デジタル／アナログ変換部（Ｄ／Ａ変換部）５７、スピーカ５８、計時部５９を備えている。
【００４５】
制御部５１は、具体的にはＭＰＵで構成されており、バスを介してヘッドホン５の上述したようなハードウェア各部と接続されていて、各部を制御すると共に、ＲＯＭ５２に格納された制御プログラムに従って、種々のソフトウェア的機能を実行する。ＲＯＭ５２は、ヘッドホン５の動作に必要な種々のソフトウェアのプログラムを予め格納している。ＲＡＭ５３は、ＳＲＡＭ又はフラッシュメモリ等で構成され、ソフトウェアの実行時に発生する一時的なデータを記憶する。
【００４６】
操作部５４は、上述したように左耳用ボタン５４ａ及び右耳用ボタン５４ｂを備えており、左耳用ボタン５４ａ又は右耳用ボタン５４ｂのいずれかが押下されることにより、制御部５１は、ＩＤ登録を要求する要求信号ＲＥＱと、ヘッドホン５が左耳用又は右耳用のいずれであるかを識別する左右識別情報とを生成する。
【００４７】
記憶部５５には、ヘッドホン５のＩＤ情報が記憶されている。ＩＤ情報は、ヘッドホン５を識別するための固有のアドレス（例えば４８ビット長のＢＤアドレス）であり、ＩＤ情報に基づいてヘッドホン５が一意に識別される。
【００４８】
通信部５６は、ブルートゥース規格に準ずるワイヤレス通信リンクを確立する機能を有しており、音声サーバ装置３と通信リンクを確立し、記憶部５５に記憶されているＩＤ情報と、制御部５１により生成された左右識別情報とを音声サーバ装置３へ送信する。また、通信部５６は、音声サーバ装置３から送信された音声信号を受信し、Ｄ／Ａ変換部５７へ出力する。
【００４９】
Ｄ／Ａ変換部５７は、通信部５６が出力した音声信号をデジタル形式からアナログ形式へ変換し、アナログ形式の音声信号をスピーカ５８にて可聴周波数帯の音波に変換する。スピーカ５８は、音声信号の音波への変換のほかに、ユーザ２に所定の報知を行なう必要がある場合に、ビープ音などの警告音を出力する。
【００５０】
計時部５９は、制御部５１からの要求に応じて、第１の時刻と第２の時刻との時間Ｔ１を計時し、時間Ｔ１を制御部５１に通知する機能を有し、主として、音声サーバ装置３との通信における要求信号と返答信号との通信時間を計時して、通信時間が所定値（閾値）より大きい場合には、通信エラーと判定して制御部５１による処理を中止するために利用される。
【００５１】
音声サーバ装置３は、制御部３１、ＲＯＭ３２、ＲＡＭ３３、操作部３４、記憶部３５、コーデック部３６、通信部３７、表示部３８、計時部３９を備えている。
【００５２】
制御部３１は、具体的にはＭＰＵで構成されており、バスを介して音声サーバ装置３の上述したようなハードウェア各部と接続されていて、各部を制御すると共に、ＲＯＭ３２に格納された制御プログラムに従って、種々のソフトウェア的機能を実行する。ＲＯＭ３２は、音声サーバ装置３の動作に必要な種々のソフトウェアのプログラムを予め格納している。ＲＡＭ３３は、ＳＲＡＭ又はフラッシュメモリ等で構成され、ソフトウェアの実行時に発生する一時的なデータを記憶する。
【００５３】
通信部３７は、ブルートゥース規格に準ずるワイヤレス通信リンクを確立する機能を有しており、リンクが確立したヘッドホン５から、ヘッドホン５のＩＤ情報と左右識別情報とを受信する。
【００５４】
記憶部３５には、複数の音楽などの音声データ３５ａ，３５ｂ，…と、図３に示すようなヘッドホン５のＩＤ情報及び左右識別情報が関連付けられたペアリングテーブル４０とが記憶されている。
【００５５】
操作部３４は、音声サーバ装置３を操作するために必要な文字キー，テンキー，各種のファンクションキーを備え、ファンクションキーとして、記憶部３５が記憶している複数の音声データ３５ａ，３５ｂ，…のうちのいずれの音声データに係る音声信号をヘッドホン５へ送信するかを選択する音声選択キー３４ａを有する。
【００５６】
表示部３８は、液晶ディスプレイ又はＬＥＤなどの小型の表示デバイスであり、音声サーバ装置３の動作状態を表示して、ユーザ２に動作状態を報知する。例えば、複数の音声データ３５ａ，３５ｂ，…のうちのいずれの音声データに係る音声信号をいずれのヘッドホン５へ送信しているかを表示してユーザ２に報知する。表示部３８をタッチパネル方式とすることにより、操作部３４の各種のキーのうちの一部又は全部を代用することも可能である。
【００５７】
制御部３１は、音声選択キー３４ａにより選択された音声データを記憶部３５から読み出し、読み出した音声データをコーデック部３６にて音声信号に復号化し、音声信号を左耳用の音声信号と右耳用の音声信号とに分離した後、通信規約に応じたデータ形式に符号化する。
【００５８】
通信部３７は、ペアリングテーブル４０のＩＤ情報を有するヘッドホン５へ、ヘッドホン５の左右識別情報に応じて、符号化された左耳用又は右耳用の音声信号を時分割でパケット送信する。より具体的には、ペアリングテーブル４０からＩＤ情報を抽出し、抽出したＩＤ情報をパケットのヘッダの送信先フィールドに付与する。また、ペアリングテーブル４０から左右識別情報を抽出し、抽出した左右識別情報が左耳用（右耳用）であることを示す場合には、パケットのデータフィールドにコーデック部３６にて符号化された左耳用（右耳用）の音声信号を付与する。
【００５９】
計時部３９は、制御部３１からの要求に応じて、第１の時刻と第２の時刻との時間Ｔ２を計時し、時間Ｔ２を制御部３１に通知する機能を有し、主として、ヘッドホン５との通信における要求信号と返答信号との通信時間を計時して、通信時間が閾値より大きい場合には、通信エラーと判定して制御部３１による処理を中止するために利用される。
【００６０】
図４は、本発明の実施の形態１に係るヘッドホン５のＩＤ登録時における動作フローの概要を示すフローチャートである。なお、動作フローは一例であり、これに限定されるものではない。また、このような動作フローはＲＯＭ５２へ予めコンピュータプログラムを組み込んでおくことにより行なうことができる。
【００６１】
ヘッドホン５は、操作部５４の左耳用ボタン５４ａ又は右耳用ボタン５４ｂの押下の有無に基づいて、ＩＤ登録が要求されているか否かを判定する（ステップＳ１）。左耳用ボタン５４ａ又は右耳用ボタン５４ｂのうちのいずれかのボタンが押下されている場合、ＩＤ登録が要求されていると判定し（Ｓ１：ＹＥＳ）、ＩＤ登録を要求する要求信号ＲＥＱを生成して音声サーバ装置３へ送信（ステップＳ２）し、計時部５９の時間Ｔ１をリセットしたうえで起動させる（ステップＳ３）。一方、左耳用ボタン５４ａ又は右耳用ボタン５４ｂのうちのいずれかのボタンが押下されていない場合、ＩＤ登録が要求されていないと判定し（Ｓ１：ＮＯ）、処理をＳ１へ戻す。
【００６２】
ヘッドホン５は、要求信号ＲＥＱを送信した後、許可信号ＡＣＫを音声サーバ装置３から受信すべく待機状態に遷移しており、音声サーバ装置３との通信状態に問題が生じているか否かを判定すべく、計時部５９の時間Ｔ１が閾値Ａ１より大きいか否かを判定する（ステップＳ４）。つまり、計時部５９の時間Ｔ１が閾値Ａ１より大きい場合は、ヘッドホン５と音声サーバ装置３との通信状態に問題が生じていると判断して処理の中止させる。
【００６３】
ヘッドホン５は、計時部５９の時間Ｔ１が閾値Ａ１より大きいと判定した場合（Ｓ４：ＹＥＳ）、音声サーバ装置３から許可信号ＡＣＫを所定時間内に受信できなかったと判定して、ＩＤ登録ができなかったことを示す音声をスピーカ５８から出力するための指示信号をスピーカ５８へ出力し（ステップＳ５）、処理を終了する。これにより、ユーザ２は、ＩＤ登録ができなかったことを示す音声がスピーカ５８から出力されるため、ユーザ２は、その旨を認識することができる。
【００６４】
ヘッドホン５は、計時部５９の時間Ｔ１が閾値Ａ１より大きくないと判定した場合（Ｓ４：ＮＯ）、音声サーバ装置３から許可信号ＡＣＫを受信したか否かを判定する（ステップＳ６）。ヘッドホン５は、音声サーバ装置３から許可信号ＡＣＫを受信していないと判定した場合（Ｓ６：ＮＯ）、処理をＳ４へ戻す。一方、音声サーバ装置３から許可信号ＡＣＫを受信したと判定した場合（Ｓ６：ＹＥＳ）、記憶部３５に記憶しているＩＤ情報と、左耳用ボタン５４ａ又は右耳用ボタン５４ｂのうちの押下されたボタンに応じて生成された左右識別情報とを音声サーバ装置３へ送信する（ステップＳ７）。
【００６５】
ヘッドホン５は、ＩＤ情報及び左右識別情報を送信した後、登録通知信号又は未登録通知信号を受信すべく待機状態に遷移しており、再度、音声サーバ装置３との通信状態に問題が生じているか否かを判定すべく、計時部５９の時間Ｔ１が閾値Ａ１より大きいか否かを判定する（ステップＳ８）。
【００６６】
ヘッドホン５は、計時部５９の時間Ｔ１が閾値Ａ１より大きいと判定した場合（Ｓ８：ＹＥＳ）、音声サーバ装置３から登録通知信号又は未登録通知信号を所定時間内に受信できなかったと判定して、処理をＳ５へ移行する。一方、計時部５９の時間Ｔ１が閾値Ａ１より大きくないと判定した場合（Ｓ８：ＮＯ）、音声サーバ装置３から登録通知信号を受信したか否かを判定する（ステップＳ９）。
【００６７】
ヘッドホン５は、音声サーバ装置３から登録通知信号を受信したと判定した場合（Ｓ９：ＹＥＳ）、ＩＤ登録が完了したことを示す音声をスピーカ５８から出力するための指示信号をスピーカ５８へ出力し（ステップＳ１０）、処理を終了する。これにより、ユーザ２は、ＩＤ登録が完了したことを示す音声がスピーカ５８から出力されるため、ユーザ２は、その旨を認識することができる。
【００６８】
ヘッドホン５は、音声サーバ装置３から登録通知信号を受信していないと判定した場合（Ｓ９：ＮＯ）、音声サーバ装置３から未登録通知信号を受信したか否かを判定する（ステップＳ１１）。ヘッドホン５は、音声サーバ装置３から未登録通知信号を受信したと判定した場合（Ｓ１１：ＹＥＳ）は、処理をＳ５へ移行し、一方、音声サーバ装置３から未登録通知信号を受信していないと判定した場合（Ｓ１１：ＮＯ）は、処理をＳ８へ戻す。
【００６９】
図５及び図６は、本発明の実施の形態１に係る音声サーバ装置３のＩＤ登録時における動作フローの概要を示すフローチャートである。なお、動作フローは一例であり、これに限定されるものではない。また、このような動作フローはＲＯＭ３２へ予めコンピュータプログラムを組み込んでおくことにより行なうことができる。
【００７０】
音声サーバ装置３は、ヘッドホン５からＩＤ情報及び左右識別情報を受信する受信処理を行ない（ステップＳ２１）、２つのヘッドホンをペアリングするために必要な夫々のＩＤ情報及び左右識別情報を受信したか否かを判定する（ステップＳ２２）。
【００７１】
音声サーバ装置３におけるＩＤ情報及び左右識別情報の受信処理（図６）は、夫々のヘッドホン５に対して行なわれる。
まず、音声サーバ装置３は、要求信号ＲＥＱをヘッドホン５から受信すべく待機状態になっており、ヘッドホン５から要求信号ＲＥＱを受信したか否かを判定する（ステップＳ３１）。要求信号ＲＥＱを受信していないと判定した場合は（Ｓ３１：ＮＯ）、処理をＳ３１へ戻し、ＩＤ情報及び左右識別情報の受信処理を継続する。
【００７２】
音声サーバ装置３は、ヘッドホン５から要求信号ＲＥＱを受信したと判定した場合（Ｓ３１：ＹＥＳ）、ヘッドホン５からのＩＤ登録の要求を許可する旨の許可信号ＡＣＫを生成してヘッドホン５へ送信（ステップＳ３２）し、計時部３９の時間Ｔ２をリセットしたうえで起動させる（ステップＳ３３）。
【００７３】
音声サーバ装置３は、許可信号ＡＣＫを送信した後、ＩＤ情報及び左右識別情報を受信すべく待機状態に遷移しており、ヘッドホン５との通信状態に問題が生じているか否かを判定すべく、計時部３９の時間Ｔ２が閾値Ａ２より大きいか否かを判定する（ステップＳ３４）。
【００７４】
音声サーバ装置３は、計時部３９の時間Ｔ２が閾値Ａ２より大きいと判定した場合（Ｓ３４：ＹＥＳ）、ヘッドホン５からＩＤ情報及び左右識別情報を所定時間内に受信できなかったと判定して、ＩＤ情報及び左右識別情報の受信処理を終了する。
【００７５】
音声サーバ装置３は、計時部３９の時間Ｔ２が閾値Ａ２より大きくないと判定した場合（Ｓ３４：ＮＯ）、ヘッドホン５からＩＤ情報及び左右識別情報を受信したか否かを判定する（ステップＳ３５）。音声サーバ装置３は、ヘッドホン５からＩＤ情報及び左右識別情報を受信していないと判定した場合（Ｓ３５：ＮＯ）、処理をＳ３４へ戻す。一方、ヘッドホン５からＩＤ情報及び左右識別情報を受信したと判定した場合（Ｓ３５：ＹＥＳ）、ＩＤ情報及び左右識別情報を受信する受信処理を終了する。
【００７６】
音声サーバ装置３は、ＩＤ情報及び左右識別情報を夫々２つ受信していないと判定した場合（Ｓ２２：ＮＯ）、処理をＳ２１へ戻し、ＩＤ情報及び左右識別情報の受信処理を継続する。
【００７７】
音声サーバ装置３は、ＩＤ情報及び左右識別情報を夫々２つ受信していないと判定した場合（Ｓ２２：ＹＥＳ）、一方の左右識別情報が左耳用であることを示し、かつ他方の左右識別情報が右耳用であることを示しているか否か、すなわち、２つの左右識別情報が左右のペアであるか否かを判定する（ステップＳ２３）。
【００７８】
音声サーバ装置３は、２つの左右識別情報が左右のペアであると判定した場合（Ｓ２３：ＹＥＳ）、２つのヘッドホン５，５のペアリングが可能であるため、受信した夫々のヘッドホン５のＩＤ情報と左右識別情報とを関連付けてペアリングテーブル４０を更新して記憶部３５に記憶する（ステップＳ２４）。これにより、ヘッドホン５，５のＩＤ登録が完了する。
【００７９】
そして、音声サーバ装置３は、ＩＤ登録が完了したことを示す登録通知信号を生成して、ヘッドホン５へ送信し（ステップＳ２５）、ＩＤ登録が完了したことを示す情報を表示部３８に表示するための指示信号を表示部３８へ出力し（ステップＳ２６）、処理を終了する。これにより、ユーザ２は、ＩＤ登録が完了したことを示す情報が表示部３８に表示されるため、ユーザ２は、その旨を認識することができる。
【００８０】
一方、音声サーバ装置３は、２つの左右識別情報が左右のペアでないと判定した場合（Ｓ２３：ＮＯ）、２つのヘッドホン５，５のペアリングが不可能であるため、ペアリングテーブル４０を更新することなく、ＩＤ登録ができなかったことを示す未登録通知信号を生成して、ヘッドホン５へ送信し（ステップＳ２７）、ＩＤ登録ができなかったことを示す情報を表示部３８に表示するための指示信号を表示部３８へ出力し（ステップＳ２８）、処理を終了する。これにより、ユーザ２は、ＩＤ登録ができなかったことを示す情報が表示部３８に表示されるため、ユーザ２は、その旨を認識することができる。
【００８１】
以上、本実施形態によれば、ヘッドホン５は、左耳用ボタン５４ａ又は右耳用ボタン５４ｂのいずれかが押下されることによって、左耳用又は右耳用として夫々機能するため、左耳用と右耳用とに共用できる。ヘッドホン５は、記憶部５５にＩＤ情報が記憶されており、かつ左耳用ボタン５４ａ又は右耳用ボタン５４ｂのいずれかが押下されることによって左右識別情報が生成されるため、ＩＤ情報及び左右識別情報を音声サーバ装置３へ送信することにより、ペアリングテーブル４０が更新される。よって、音声サーバ装置３は、確実に夫々のヘッドホンへ音声信号を送信することができるため、一方のヘッドホンからは音声が出力されない虞は全くなく、複数のヘッドホンが混在している場合であっても、組み合わせを気にすることなく、任意の組み合わせのヘッドホンを左右一対として使用することができる。
【００８２】
また本実施形態によれば、ＢＤアドレスをＩＤ情報として割り当てることにより、任意のヘッドホンの組み合わせで左右一対のペアリングが可能になり、その組み合わせのヘッドホンのみが音声信号に係る音声を聴くことができるため、秘匿性に優れる。もちろん、ペアリングは１つに限定されるものではなく、複数のペアリングを登録することができ、ペアリングされた一対のヘッドホン毎に異なる音声信号を送信するようにしてもよい。
【００８３】
さらに本実施形態によれば、音声サーバ装置３は、音声信号を左耳用の音声信号と右耳用の音声信号とに分離した後、通信規約に応じたデータ形式に符号化して時分割で送信することができるため、左耳用の音声信号と右耳用の音声信号とを異なるチャネルで送信するようにした場合には、情報量の大きい、すなわち、より高品質な音声信号を送信することができる。
【００８４】
なお、本実施形態では、ヘッドホン５に、左耳用ボタン５４ａ，右耳用ボタン５４ｂを夫々設け、左耳用ボタン５４ａ又は右耳用ボタン５４ｂのいずれかが押下されることにより、ＩＤ登録を要求する要求信号ＲＥＱと左右識別情報とが生成される場合について説明したが、これに限定されるものではなく、図７（ａ）に示すように、例えば、ヘッドホン７に、ＩＤ登録要求ボタン７ａと左耳／右耳切替スイッチ７ｂとを設け、ＩＤ登録要求ボタン７ａが押下されることにより、ＩＤ登録を要求する要求信号ＲＥＱを生成し、左耳／右耳切替スイッチ７ｂの接点位置によって、左右識別情報が生成されるようにしてもよい。このようにすれば、左耳／右耳切替スイッチ７ｂがスピーカの背面側から見て左側に配置されている場合は右耳に装着（図７（ｂ））され、左耳／右耳切替スイッチ７ｂがスピーカの背面側から見て右側に配置されている場合は左耳に装着（図７（ｃ））されることになるから、誤った左右識別情報が生成されることはない。
【００８５】
（実施の形態２）
図８は本発明の実施の形態２に係る音声信号送受信システムの概観を示す模式図である。本発明の実施の形態２に係る音声信号送受信システムは音声サーバ装置３と、左耳用のヘッドホン６ａ及び右耳用のヘッドホン６ｂとを備え、音声サーバ装置３とヘッドホン６ａ，６ｂとが無線によるワイヤレスのデータ通信を行なう。
【００８６】
ヘッドホン６ａ，６ｂは、スピーカ５８の背面側の下部に、ＩＤ登録を音声サーバ装置３に要求するためのＩＤ登録要求ボタン６４ａを備えている。ヘッドホン６ａ，６ｂは、実施の形態１と異なって、例えば色分け、識別名等により、予め左耳用又は右耳用のいずれかであることが特定されている。
【００８７】
図９は本発明の実施の形態２に係る音声信号送受信システムの構成を示すブロック図である。ヘッドホン６ａ，６ｂは、制御部５１、ＲＯＭ６２、ＲＡＭ５３、操作部６４、記憶部６５、通信部５６、Ｄ／Ａ変換部５７，スピーカ５８、計時部５９を備えている。
【００８８】
操作部６４は、上述したようにＩＤ登録要求ボタン６４ａを備えており、ＩＤ登録要求ボタン６４ａが押下されることにより、制御部５１は、ＩＤ登録を要求する要求信号ＲＥＱを生成する。
【００８９】
記憶部６５には、ヘッドホン６ａ，６ｂを識別するためのＩＤ情報と、ヘッドホン６ａ，６ｂが左耳用又は右耳用のいずれであるかを識別する左右識別情報とが記憶されている。ヘッドホン６ａ，６ｂのその他の構成及び音声サーバ装置３は図２と同様であるので、対応する部分には同一の符号を付してその詳細な説明を省略する。
【００９０】
図１０は、本発明の実施の形態２に係るヘッドホン６ａ，６ｂのＩＤ登録時における動作フローの概要を示すフローチャートである。
【００９１】
ヘッドホン６ａ，６ｂは、操作部６４のＩＤ登録要求ボタン６４ａの押下の有無に基づいて、ＩＤ登録が要求されているか否かを判定する（ステップＳ４１）。ＩＤ登録要求ボタン６４ａが押下されている場合、ＩＤ登録が要求されていると判定し（Ｓ４１：ＹＥＳ）、ＩＤ登録を要求する要求信号ＲＥＱを生成して音声サーバ装置３へ送信（ステップＳ４２）し、計時部５９の時間Ｔ１をリセットしたうえで起動させる（ステップＳ４３）。
【００９２】
ヘッドホン６ａ，６ｂは、要求信号ＲＥＱを送信した後、許可信号ＡＣＫを受信すべく待機状態に遷移しており、音声サーバ装置３との通信状態に問題が生じているか否かを判定すべく、計時部５９の時間Ｔ１が閾値Ａ１より大きいか否かを判定する（ステップＳ４４）。
【００９３】
ヘッドホン６ａ，６ｂは、計時部５９の時間Ｔ１が閾値Ａ１より大きくないと判定した場合（Ｓ４４：ＮＯ）、音声サーバ装置３から許可信号ＡＣＫを受信したか否かを判定する（ステップＳ４５）。ヘッドホン５は、音声サーバ装置３から許可信号ＡＣＫを受信していないと判定した場合（Ｓ４５：ＮＯ）、処理をＳ４４へ戻す。一方、音声サーバ装置３から許可信号ＡＣＫを受信したと判定した場合（Ｓ４５：ＹＥＳ）、記憶部６５に記憶しているＩＤ情報と左右識別情報とを音声サーバ装置３へ送信する（ステップＳ４６）。その他のフローは図４と同様であるので、対応する部分には同一のステップ名を付してその詳細な説明を省略する。
【００９４】
以上、本実施形態によれば、ヘッドホン６ａ，６ｂは、記憶部６５にＩＤ情報及び左右識別情報が記憶されているため、ＩＤ情報及び左右識別情報を音声サーバ装置３へ送信することにより、ペアリングテーブル４０が更新される。よって、実施の形態１と同様に、音声サーバ装置３は、確実に夫々のヘッドホン６ａ，６ｂへ音声信号を送信することができる。
【００９５】
なお、各実施の形態では、音声サーバ装置３とヘッドホン５，６ａ，６ｂとの通信規約として、微弱電波を使った、一対一方式、一対多方式の近距離無線通信規格であるブルートゥースを利用した場合について説明したが、これに限定されるものではなく、ヘッドホン５，６ａ，６ｂを一意に識別できるＩＤ情報によって通信を行なう通信規約であればよく、例えば、イーサネット（登録商標）を通信規約とした場合には、４８ビット長のＭＡＣアドレスをＩＤ情報として用いればよい。また、ユーザ２が、ヘッドホン５，６ａ，６ｂに対する識別名称（エイリアスネーム，ユーザーフレンドリーネームなど）を、音声サーバ装置３の操作部３４によって適宜設定し、ＩＤ情報と関連付けて記憶部３５に記憶しておくようにすれば、ペアリングテーブル４０に登録されたＩＤ情報と一致する識別名称を記憶部３５から抽出し、抽出した識別名称を表示部３８に表示してユーザ２に報知することができる。
【００９６】
さらに、各実施の形態では、音声サーバ装置３が、音声信号を左耳用の音声信号と右耳用の音声信号とに分離した後、通信規約に応じたデータ形式に符号化して時分割で送信するようにしたが、音声サーバ装置３は、左耳用の音声信号と右耳用の音声信号とを含む音声信号を、通信規約に応じたデータ形式に符号化して時分割で送信するようにしておき、ヘッドホン５，６ａ，６ｂにフィルタ部を設けて、左右識別情報に基づいてヘッドホンが左耳用である場合には、送信された音声信号から左耳用の音声信号を抽出し、右耳用である場合には、送信された音声信号から右耳用の音声信号を抽出するようにしてもよい。
【００９７】
さらにまた、各実施の形態では、夫々のヘッドホン５，６ａ，６ｂが、夫々のＩＤ情報及び左右識別情報を音声サーバ装置３へ送信して、ヘッドホンの組み合わせに関するペアリングテーブル４０を音声サーバ装置３に登録するようにしたが、最初に登録されたヘッドホンの左右識別情報が左用である場合に、次に登録するヘッドホンは右用であるとして自動的に判定し、左右識別情報を利用することなく、ペアリングテーブル４０を音声サーバ装置３に登録するようにしてもよい。
【００９８】
また、夫々のヘッドホン５，６ａ，６ｂが音声サーバ装置３へ送信した左右識別情報が同一の情報、すなわち、両方左耳用又は両方右耳用であった場合には、その旨を示す情報を音声サーバ装置３の表示部３８に表示したり、その旨を示す情報を生成してヘッドホン５，６ａ，６ｂへ送信し、ヘッドホン５，６ａ，６ｂが、両方左耳用又は両方右耳用であったことを示す音声をスピーカ５８から出力したりして、ユーザ２にその旨を報知するようにしてもよい。
【００９９】
さらに、ヘッドホンに左耳用／右耳用を示す２つのＬＥＤを設けて、ヘッドホン５が左耳用又は右耳用として音声サーバ装置３に登録された場合、登録に応じていずれかのＬＥＤを点灯させて、ユーザ２に報知するようにしてもよい。
【図面の簡単な説明】
【０１００】
【図１】本発明の実施の形態１に係る音声信号送受信システムの概観を示す模式図である。
【図２】本発明の実施の形態１に係る音声信号送受信システムの構成を示すブロック図である。
【図３】本発明に係るペアリングテーブルの内容を示す概念図である。
【図４】本発明の実施の形態１に係るヘッドホンのＩＤ登録時における動作フローの概要を示すフローチャートである。
【図５】本発明の実施の形態１に係る音声サーバ装置のＩＤ登録時における動作フローの概要を示すフローチャートである。
【図６】本発明の実施の形態１に係る音声サーバ装置のＩＤ登録時における動作フローの概要を示すフローチャートである。
【図７】本発明の実施の形態１に係るヘッドホンの他の一例を示す模式図である。
【図８】本発明の実施の形態２に係る音声信号送受信システムの概観を示す模式図である。
【図９】本発明の実施の形態２に係る音声信号送受信システムの構成を示すブロック図である。
【図１０】本発明の実施の形態２に係るヘッドホンのＩＤ登録時における動作フローの概要を示すフローチャートである。
【符号の説明】
【０１０１】
１  音声信号送受信システム
２  ユーザ
３  音声サーバ装置
３１  制御部
３４  操作部
３４ａ  音声選択キー
３５  記憶部
３５ａ，３５ｂ，…  音声データ
３９  計時部
３６  コーデック部
３７  通信部
３８  表示部
４０  ペアリングテーブル
５，６ａ，６ｂ，７  ヘッドホン
５１  制御部
５４，６４  操作部
５４ａ  左耳用ボタン
５４ｂ  右耳用ボタン
６４ａ  ＩＤ登録要求ボタン
５５，６５  記憶部
５９  計時部
５６  通信部
５７  デジタル／アナログ変換部（Ｄ／Ａ変換部）
５８  スピーカ
【図１】
2005286919.tif 000003
【図２】
2005286919.tif 000004
【図３】
2005286919.tif 000005
【図４】
2005286919.tif 000006
【図５】
2005286919.tif 000007
【図６】
2005286919.tif 000008
【図７】
2005286919.tif 000009
【図８】
2005286919.tif 000010
【図９】
2005286919.tif 000011
【図１０】
2005286919.tif 000012